(57)【要約】【課題】使用者の好みに応じて裏表表示ができ、かつ、ファッション性も有するシースルー型の両面表示式時計を提供する。【解決手段】本発明の時計１１は、対向する２枚の透明な基板間に表示媒体を封入し、表示媒体に電界を付与することによって、表示媒体を移動させて画像等の情報を表示する情報表示用パネルを表示部１２に用いることで、表示部の表面および裏面に情報を表示する。表示媒体として明色および暗色の２色で、互いに帯電特性の異なる表示媒体を用いることが好ましい。また、文字盤に配する数字や文字の表示書き換え不要部分である時計枠部１３に、非透明の彩色を行うことが好ましい。【選択図】図４
2007127542.tif 000002
【特許請求の範囲】
【請求項１】
対向する２枚の透明な基板間に表示媒体を封入し、表示媒体に電界を付与することによって、表示媒体を移動させて画像等の情報を表示する情報表示用パネルを表示部に用いることで、表示部の表面および裏面に情報を表示することを特徴とする時計。
【請求項２】
表示媒体として明色および暗色の２色の帯電特性が互いに異なる表示媒体を用いることを特徴とする請求項１に記載の時計。
【請求項３】
文字盤に配する数字や文字の表示書き換え不要部分に、非透明の彩色を行うことを特徴とする請求項１または２に記載の時計。
【発明の詳細な説明】
【技術分野】
【０００１】
本発明は、使用者の好みに応じて裏表表示ができるシースルー型の両面表示式時計に関するものである。
【背景技術】
【０００２】
従来、時計として、文字盤上に時針、分針、秒針を設けてなるアナログ式の時計や、液晶を表示部とするデジタル式の時計が知られている。また、裏文字表示式の時計や、時針、分針、秒針の進行方向が通常の右回りとは逆回転する時計が、ファッション性のある時計として用いられている。
【発明の開示】
【発明が解決しようとする課題】
【０００３】
上述した従来の時計では、時計の文字盤に遮られて、裏表表示ができるシールスルー型の両面時計表示はできなかった。また、ファッション性を求める購買者は、予め設計作製された裏文字表示式時計や、針の進行方向が逆回転の時計を購入するしか、選択の余地はなかった。
【０００４】
一方、従来、時計の表示部としては一般的ではないが、情報表示用パネルの一構成として、良く知られている溶液中での挙動を利用する電気泳動方式に対し、溶液を使わず、導電性粒子と電荷輸送層とを基板の一部に組み入れる方式も提案され始めている（例えば、非特許文献１参照）。さらに、このような乾式の情報表示用パネルの一例として、少なくとも一方が透明な対向する２枚の基板間に、表示媒体を封入し、表示媒体に電界を付与することによって、表示媒体を移動させて画像等の情報を表示する情報表示用パネルが知られているが、時計に対する応用は未だなされていなかった。
【非特許文献１】趙  国来、外３名、“新しいトナーディスプレイデバイス（Ｉ）”、１９９９年７月２１日、日本画像学会年次大会（通算８３回）“Japan Hardcopy’99”論文集、p.249-252
【０００５】
本発明の目的は上述した問題点を解消して、使用者の好みに応じて裏表表示ができ、かつ、ファッション性も有するシースルー型の両面表示式時計を提供しようとするものである。
【課題を解決するための手段】
【０００６】
本発明の時計は、対向する２枚の透明な基板間に表示媒体を封入し、表示媒体に電界を付与することによって、表示媒体を移動させて画像等の情報を表示する情報表示用パネルを表示部に用いることで、表示部の表面および裏面に情報を表示することを特徴とするものである。
【０００７】
また、本発明の時計の好適例としては、表示媒体として明色および暗色の２色の帯電特性が互いに異なる表示媒体を用いること、文字盤に配する数字や文字の表示書き換え不要部分に、非透明の彩色を行うこと、がある。
【発明の効果】
【０００８】
本発明によれば、対向する２枚の透明な基板間に表示媒体を封入し、表示媒体に電界を付与することによって、表示媒体を移動させて画像等の情報を表示する情報表示用パネルを表示部に用いることで、表示部の表面および裏面に情報を表示しているため、使用者の好みに応じて裏表表示ができ、かつ、ファッション性も有するシースルー型の両面表示式時計を得ることができる。
【発明を実施するための最良の形態】
【０００９】
まず、本発明の時計に用いる情報表示用パネルの基本的な構成について説明する。本発明の時計の表示部として用いる情報表示用パネルでは、対向する透明な２枚の基板間に封入した表示媒体に電界が付与される。付与された電界方向にそって、帯電した表示媒体が電界による力やクーロン力などによって引き寄せられ、電位の切替による電界方向の変化によって表示媒体の移動方向が変わることにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１０】
本発明の時計の表示部として用いる情報表示用パネルの例を、図１（ａ）、（ｂ）〜図２（ａ）、（ｂ）に基づき説明する。
【００１１】
図１（ａ）、（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、透明な基板１、２の外部に配置した透明電極５、６から加えられる電界に応じて、基板１、２と垂直に移動させ、一方の基板２側では、黒色表示媒体３Ｂを観察者に視認させて黒色の表示を行い、他方の基板１側では、白色表示媒体３Ｗを観察者に視認させて白色の表示を行っている。なお、図１（ｂ）に示す例では、図１（ａ）に示す例に加えて、基板１、２との間に例えば格子状に隔壁４を設けセルを形成している。また、図１（ｂ）において、手前にある隔壁は省略している。
【００１２】
図２（ａ）、（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、透明な基板１に設けた透明電極５と透明な基板２に設けた透明電極６との間に電圧を印加することにより発生する電界に応じて、基板１、２と垂直に移動させ、一方の基板２側では、基板黒色表示媒体３Ｂを観察者に視認させて黒色の表示を行い、他方の基板１側では、白色表示媒体３Ｗを観察者に視認させて白色の表示を行っている。なお、図２（ｂ）に示す例では、基板１、２との間に例えば格子状に隔壁４を設けセルを形成している。また、図２（ｂ）において、手前にある隔壁は省略している。
【００１３】
以上の説明は、粒子群からなる白色表示媒体３Ｗを粉流体からなる白色媒体に、粒子群からなる黒色表示媒体３Ｂを粉流体からなる黒色表示媒体に、それぞれ置き換えた場合も同様に適用することが出来る。
【００１４】
図３（ａ）、（ｂ）はそれぞれ本発明の時計の一例を説明するための図であり、図３（ａ）は一方の面側の表示状態を示し、図３（ｂ）は他方の面側の表示状態を示す。図３（ａ）、（ｂ）に示す例において、本発明の時計１１は、アナログ針式表示の例であり、中心部に設けられた時針および分針を時間とともに移動表示する表示部１２と、表示部１２の周囲に設けられた文字や数字等の情報を予め表示しておく表示書き換え不要部分である時計枠部１３と、から構成されている。本例では、表示部１２を全て透明材料で構成したシースルー型の時計とすることで、使用者の好みに応じて、通常状態の表示（図３（ａ）に示す状態）と逆表示状態の表示（図３（ｂ）に示す状態）とを選択して使用することができる。
【００１５】
図３（ａ）、（ｂ）に示す例において、表示部１２としては、上述した構成を有し、好ましくは２色の帯電特性の異なる表示媒体を互いに反転移動させることによって、画像等の情報表示を行う粒子移動式の情報表示用パネルを用いている。組み合わせる２色の表示媒体の色については、表示状態の認識性、視認性が高い組合せを用いることが好ましく、明色と暗色との組合せが好ましい。具体的には、黒色表示媒体と白色表示媒体との組合せ、黒色表示媒体と黄色表示媒体との組合せ、等が通常好適に用いられる。
【００１６】
図３（ａ）、（ｂ）に示す例において、時計の文字盤に配する数字や文字の書き換え不要部分である時計枠部１３には、非透明の彩色を行うことが好ましいが、時計文字盤の背景色となる表示媒体の色に対して、見やすい色彩を用いることが好ましい。時計枠部１３における時計の文字盤に配する少なくとも時間を示す数字には、逆表示状態であることが分かるようにアラビア数字を用いることが好ましい。ローマ数字やその他の抽象的な標記を用いることもできるが、逆表示であることの認識を忘れがちな使用者にとっては、その認識を思い出させるためにもアラビア数字が好ましい。表示部１２に数字にて時刻を示すディジタル表示式時計においては、アラビア数字で時間を示すのが一般的であるが、漢数字やその他の文字表示も可能である。
【００１７】
図４（ａ）、（ｂ）はそれぞれ本発明の時計の他の例を説明するための図であり、図３（ａ）、（ｂ）に示す例と同様のアナログ針式表示の例を示している。図４（ａ）、（ｂ）に示す例では、図４（ａ）に示す一方の面では図３（ａ）と同様な通常状態の表示とし、図４（ｂ）に示す他方の面において、時計枠部１３では時間を表す文字は印刷で正規の表記を行い、表示部１２では時針、分針が逆回転となるよう構成している。
【００１８】
図５（ａ）、（ｂ）はそれぞれ本発明の時計のさらに他の例を説明するための図であり、図５（ａ）は一方の面側の表示状態を示し、図５（ｂ）は他方の面側の表示状態を示す。図５（ａ）、（ｂ）に示す例では、表示部１２でディジタル表示で時間を示している。この際、２色の表示媒体として、黒色表示媒体と黄色表示媒体とを用いると、コントラストの強いはっきりした表示を行うことができる。一方、２色の表示媒体として、灰色表示媒体と白色表示媒体とを用いると、コントラストは強くないが落ち着いた表示を行うことができる。
【００１９】
図６（ａ）、（ｂ）および図７（ａ）、（ｂ）はそれぞれ本発明の時計のさらに他の例を説明するための図である。図６（ａ）、（ｂ）に示す例では、ディジタル表示に時分の文字を表示するにあたり、２箇所の表示部１２−１、１２−２で数字での時間の表示を行うとともに、２箇所の時計枠部１３−１、１３−２で「時」「分」の文字を予め印刷して表示を行っている。図７（ａ）、（ｂ）では、ディジタル表示に時分の文字を表示するにあたり、全面を書き換え可能な表示部１２から構成し、時間の表示とともに「時」「分」の文字も表示部１２で表示を行うよう構成している。
【００２０】
図８は本発明の時計における利用シーンの一例を説明するための図である。図８に示す例では、理容店や美容院のように大きな鏡を通して、お客が時計を見る場合を示しており、本発明の時計を壁掛け式時計として、お客の背中側の壁に、時計が逆表示になるように掛けて用いる。この場合、お客は鏡を通して通常の表示状態として時計を見ることができる。本発明の時計を置き時計として、お客の背中側の台上に、時計が逆表示になるように置いて用いた場合も同様である。
【００２１】
上述した例の他に、本発明の時計によれば、以下に示すような利用シーンが考えられる。
・壁掛け式時計として、好みに応じて、表裏を変えて掛けて用いる。
・置き時計として、好みに応じて、表裏を変えて置いて用いる。
・腕時計として、好みに応じて、表裏を変えて置いて用いる。
【００２２】
以下、本発明の時計の表示部として用いる情報表示用パネルを構成する各部材について説明する。
【００２３】
基板については、２枚の基板とも外側から表示媒体の色が確認できる透明な基板であり、可視光の透過率が高くかつ耐熱性の良い材料が好適である。基板材料を例示すると、ポリエチレンテレフタレート、ポリエチレンナフタレート、ポリエーテルサルフォン、ポリエチレン、ポリカーボネート、ポリイミド、アクリルなどのポリマーシートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２４】
必要に応じて設ける電極の電極形成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。本発明では、電極は透明である必要がある。この場合、パターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。なお、この場合の外部電圧入力は、直流あるいは交流を重畳しても良い。
【００２５】
必要に応じて基板に設ける隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図９に示すごとく、基板平面方向からみて四角状、三角状、ライン状、円形状、六角状が例示され、配置としては格子状やハニカム状や網目状が例示される。表示面側から見える隔壁断面部分に相当する部分（セルの時計枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００２６】
次に、本発明の時計の表示部として用いる情報表示用パネルにおいて、表示媒体として例えば用いる粉流体について説明する。なお、本発明の情報表示用パネルで用いる粉流体の名称については、本出願人が「電子粉流体（登録商標）：登録番号4636931」の権利を得ている。
【００２７】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００２８】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００２９】
本発明の情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、小さな電界の力でクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で表示媒体として用いられる。
【００３０】
次に、本発明の情報表示用パネルにおいて表示媒体を構成する表示媒体用粒子（以下、粒子ともいう）について説明する。表示媒体用粒子は、そのまま該表示媒体用粒子だけで構成して表示媒体としたり、その他の粒子と合わせて構成して表示媒体としたり、粉流体となるように調整、構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３１】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３２】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３３】
着色剤としては、以下に例示するような、有機または無機の各種、各色の顔料、染料が使用可能である。
【００３４】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３５】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３６】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３７】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００３８】
また、本発明の表示媒体用粒子（以下、粒子ともいう）は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体の移動に支障をきたすようになる。
【００３９】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体移動が可能となる。
【００４０】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４１】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００４２】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００４３】
本発明者らは鋭意検討の結果、ブローオフ法において同一のキャリア粒子を用いて、表示媒体に用いる粒子の帯電量測定を行うことにより、表示媒体用粒子の適正な帯電特性値の範囲を評価できることを見出した。
【００４４】
更に、表示媒体用粒子で構成する粒子群や粉流体等の表示媒体を乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図２（ａ）、（ｂ）において、対向する基板１、基板２に挟まれる部分から、電極５、６（電極を基板の内側に設けた場合）、表示媒体３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４５】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動の支障をきたし、５％未満の場合にはコントラストが不明確となり易い。
【産業上の利用可能性】
【００４６】
本発明の時計は、使用者の好みに応じて裏表表示ができるシースルー型両面表示式の時計として好適に用いることができ、壁掛け式時計、置き時計、腕時計などの種々の時計として用いることができる。
【図面の簡単な説明】
【００４７】
【図１】（ａ）、（ｂ）はそれぞれ本発明の時計の表示部として用いられる情報表示用パネルの一例を示す図である。
【図２】（ａ）、（ｂ）はそれぞれ本発明の時計の表示部として用いられる情報表示用パネルの他の例を示す図である。
【図３】（ａ）、（ｂ）はそれぞれ本発明の時計の一例を説明するための図である。
【図４】（ａ）、（ｂ）はそれぞれ本発明の時計の他の例を説明するための図である。
【図５】（ａ）、（ｂ）はそれぞれ本発明の時計のさらに他の例を説明するための図である。
【図６】（ａ）、（ｂ）はそれぞれ本発明の時計のさらに他の例を説明するための図である。
【図７】（ａ）、（ｂ）はそれぞれ本発明の時計のさらに他の例を説明するための図である。
【図８】本発明の時計における利用シーンの一例を説明するための図である。
【図９】本発明の時計の表示部として用いられる情報表示用パネルにおける隔壁の形状の一例を示す図である。
【符号の説明】
【００４８】
１、２  基板
３  表示媒体（粒子群、粉流体）
３Ｗ  白色表示媒体
３Ｗａ  白色表示媒体用粒子
３Ｂ  黒色表示媒体
３Ｂａ  黒色表示媒体用粒子
４  隔壁
５、６  電極
１１  時計
１２、１２−１、１２−２  表示部
１３、１３−１、１３−２  時計枠部
【図１】
2007127542.tif 000003
【図２】
2007127542.tif 000004
【図３】
2007127542.tif 000005
【図４】
2007127542.tif 000006
【図５】
2007127542.tif 000007
【図６】
2007127542.tif 000008
【図７】
2007127542.tif 000009
【図８】
2007127542.tif 000010
【図９】
2007127542.tif 000011